(57)【要約】  【課題】ディスクと外部装置間の電気信号の送信又は／及び受信を可能としてディスク利用分野の拡張性を格段に改善する低コストで簡単な構成のディスクドライブ装置並びにディスクを提供する。  【解決手段】電子回路等に電気的に接続された第1の導電部１Ａを有するディスク１の両面を挟持部２１、２４により挟持することによりディスク１を強固に保持して挟持部とともに回転駆動させてディスク１に対する情報の読み込み又は書き込みを行なう。挟持部２１、２４のディスク１との接触部の少なくとも一部の、ディスク１の導電部との接触部位に第２の導電部２１Ａが設けられている。【選択図】図６
2005222690.tif 000002
【特許請求の範囲】
【請求項１】
所定の信号処理を実行する電子回路又は何らかの電子的情報の生成、書き込み又は保存機能を有する電子的機能部及びこの電子回路又は電子的機能部に電気的に接続された第1の導電部を有するディスクの両面を挟持部により挟持することにより前記ディスクを強固に保持して前記挟持部とともに回転駆動させて前記ディスクに対する情報の読み込み又は書き込みを行なうように構成され、
前記挟持部の前記ディスクとの接触部の少なくとも一部に、前記ディスクの導電部との接触部位に第2の導電部が設けられていることを特徴とするディスクドライブ装置。
【請求項２】
所定の信号処理を実行する電子回路又は何らかの電子的情報の生成、書き込み又は保存機能を有する電子的機能部及びこの電子回路又は電子的機能部に電気的に接続された第1の導電部を有するディスクの両面を挟持部により挟持することにより前記ディスクを強固に保持して前記挟持部とともに回転駆動させて前記ディスクに対する情報の読み込み又は書き込みを行なうように構成され、
前記挟持部の前記ディスクとの接触部の少なくとも一部に、前記ディスクの導電部との接触部位に第2の導電部が設けられ、
前記ディスク側の前記電子回路又は電子的機能部と前記ディスクドライブ側間の信号の送受信を前記ディスク側と前記保持手段の導電部を介して行なうことを特徴とするディスク信号処理システム。
【請求項３】
所定の信号処理を実行する電子回路又は何らかの電子的情報の生成、書き込み又は保存機能を有する電子的機能部が搭載され、両面側がディスクドライブ装置の把持部で把持、保持されて前記把持部とともに一体的に回転されるディスクであって、
前記ディスクの前記把持部により把持、保持される部位の少なくとも一部に導電部が形成されるとともに、前記導電部と電気的に接続され、前記ディスクの前記把持部により把持、保持される部位とは異なる位置に前記電子回路又は電子機能部が設けられていることを特徴とするディスク。
【発明の詳細な説明】
【技術分野】
【０００１】
本発明はディスクドライブ装置、ディスク信号処理システム及びディスクに関し、特に、ディスクとドライブ装置間での信号送信又は／及び受信を簡単な構成で行なうディスクドライブ装置、ディスク信号処理システム及びディスクに関する。
【背景技術】
【０００２】
光ディスクは、主にポリカーボネート等の樹脂のようなきわめて廉価な素材で構成されるにもかからわず記憶できるデータ量が非常に多く、コストパフォーマンス面できわめて有利であるため、将来の記憶媒体として最も有望である。
【０００３】
光ディスクに記憶されている情報を読み出し、又は情報を書き込む（読み出し／書き込み）ためにはディスクドライブ装置が使用される。ディスクドライブ装置は、光ディスクをターンテーブル上に載置し、クランパによりクランプし、スピンドルモータで回転させて、レーザ光を照射し、光ディスク表面からの反射光を受光し、復調することにより記録信号を読み出すように構成している。かかるディスクドライブ装置の代表的構成例が特許文献１乃至３に開示されている。
【０００４】
【特許文献１】特開平１１−３５３７４９（〔００２４〕図１）
【特許文献２】特開２０００−１０００３１（〔００１３〕〜〔００１５〕図３）
【特許文献３】特開２０００−１０００３２（〔００１２〕〜〔００１７〕図１）
【０００５】
ところで、最近、光ディスク上に記憶領域だけでなく、電子回路等の電気的回路をも搭載した形態の光ディスクが提案されている。しかしながら、光ディスクとディスクドライブ装置は、電気的には完全に絶縁された状態で動作することと、光ディスクが高速で回転すること等に起因して、光ディスク上に搭載された電子回路と、ディスクドライブ装置側の内部回路との間の信号送信又は／及び受信は簡単には行なえない。
【０００６】
かかる種類の光ディスクのディスクドライブ装置として提案されているのは、光ディスク側とディスクドライブ装置側での信号の送受信に無線信号を利用するものである。例えば、光ディスク面とディスクドライブ側にそれぞれアンテナを形成しておき、このアンテナを介して無線信号の送受信を行なうものである。
【０００７】
また、光ディスク側とディスクドライブ側にそれぞれ発光／受光回路を形成しておき、この発光／受光回路を介しての光信号の送受信を行なう構成も考えられている。
【０００８】
更には、当該電子回路と、ディスクドライブ装置側の内部回路との間の信号送受信を、ディスクドライブ装置による回転を停止させた状態で行う構成も提案されている（特許文献４参照）。
【特許文献４】米国特許第５，１１９，３５３号（Ｆｉｇ．２  第４、５欄）
【発明の開示】
【発明が解決しようとする課題】
【０００９】
上述のように、従来は、ディスク表面に搭載されている電子回路とディスクドライブ装置の内部回路間の信号の送受信は、ディスク面とディスクドライブ側にそれぞれを形成したアンテナを介しての無線信号の送受信を行なう。しかしながら、かかるアンテナの形成には無線信号の周波数用に適合するような形状パラメータでの形成が必要であり、ディスク面上へのかかるアンテナの形成は高精度なエッチング手法を要するだけでなく、無線周波数への／無線周波数からの周波数変換回路を形成する必要もあり、低コストが大きな有益性をもつ光ディスクにとって大きな問題となる。
【００１０】
また、ディスク側とディスクドライブ装置側に形成した発光／受光回路を介しての光信号の送受信を行なう構成においては、各ディスク毎に光／電気信号の変換回路を形成しなければならず、同様にコストが最大の優位性をもつ特徴である光ディスクにとって問題が大きい。
【００１１】
更には、ディスクドライブ装置による回転を停止させた状態で、電子回路とディスクドライブ装置側の内部回路との間の信号送受信を行なう場合には、ディスク回転中にディスクとディスクドライブ装置側との信号送受信を行なうことはできず、リアルタイムで信号処理は不可能である。
【００１２】
そこで、本発明の目的は、低コスト、簡単な構成でディスク側とディスクドライブ装置側間で信号の送受信を可能とするディスクドライブ装置、ディスク信号処理システム及びディスクを提供することにある。
【００１３】
本発明の他の目的は、ディスクと外部装置間の電気信号の送信又は／及び受信を可能としてディスク利用分野の拡張性を格段に改善する低コストで簡単な構成のディスクドライブ装置、ディスク信号処理システム及びディスクを提供することにある。
【課題を解決するための手段】
【００１４】
前述の課題を解決するため、本発明によるディスクドライブ装置、ディスク信号処理システム及びディスクは、次のような特徴的な構成を採用している。
【００１５】
（１）所定の信号処理を実行する電子回路又は何らかの電子的情報の生成、書き込み又は保存機能を有する電子的機能部及びこの電子回路又は電子的機能部に電気的に接続された第1の導電部を有するディスクの両面を挟持部により挟持することにより前記ディスクを強固に保持して前記挟持部とともに回転駆動させて前記ディスクに対する情報の読み込み又は書き込みを行なうように構成され、
前記挟持部の前記ディスクとの接触部の少なくとも一部に、前記ディスクの導電部との接触部位に第2の導電部が設けられているディスクドライブ装置。
（２）所定の信号処理を実行する電子回路又は何らかの電子的情報の生成、書き込み又は保存機能を有する電子的機能部及びこの電子回路又は電子的機能部に電気的に接続された第1の導電部を有するディスクの両面を挟持部により挟持することにより前記ディスクを強固に保持して前記挟持部とともに回転駆動させて前記ディスクに対する情報の読み込み又は書き込みを行なうように構成され、
前記挟持部の前記ディスクとの接触部の少なくとも一部に、前記ディスクの導電部との接触部位に第２の導電部が設けられ、
前記ディスク側の前記電子回路又は電子的機能部と前記ディスクドライブ側間の信号の送受信を前記ディスク側と前記保持手段の導電部を介して行なうディスク信号処理システム。
（３）所定の信号処理を実行する電子回路又は何らかの電子的情報の生成、書き込み又は保存機能を有する電子的機能部が搭載され、両面側がディスクドライブ装置の把持部で把持、保持されて前記把持部とともに一体的に回転されるディスクであって、
前記ディスクの前記把持部により把持、保持される部位の少なくとも一部に導電部が形成されるとともに、前記導電部と電気的に接続され、前記ディスクの前記把持部により把持、保持される部位とは異なる位置に前記電子回路又は電子機能部が設けられているディスク。
【発明の効果】
【００１６】
本発明によれば、ディスクとディスクドライブ装置間での信号送信又は／及び受信を可能とすることにより、ディスクと外部装置間の電気信号の送信又は／及び受信を可能とし、つまり、ディスクに記憶されている情報の読み出しやディスクへの書き込みは勿論、当該ディスク上に搭載されている電子回路と外部装置間の信号送信又は／及び受信を簡単な構成で可能とすることができる。したがって、それぞれのディスク上に形成された電子回路の機能に基づく固有の動作を規定することができるようになり、ディスクを用いた利用分野の拡張性が格段に改善される。その結果、著しい応用範囲が拡張されるディスクが、通常のディスク表面に薄膜ＩＣ等の電子回路と、この電子回路と電気的に接続された薄膜等の導電部を形成するだけでコスト上昇を最小限に抑えることができるディスクが得られる。また、かかるディスクをアクセスするためのディスクドライブも簡単な構成の追加だけで済み、コスト上昇を最小限に抑えたディスクドライブ装置が得られる。このような効果は、きわめて廉価でありながら大きな記憶容量が得られる光ディスクを用いると顕著となる。なお、かかる効果は、ディスクとディスクドライブ装置に限らず、同様に回転部材を接触保持して回転させる回転機構と、回転部材との間でも同様に得られる。他の目的と作用効果は以下の説明から明らかである。
【実施例１】
【００１７】
以下、本実施例の具体的構成例について図面を参照しながら説明する。以下では、ディスクとして光ディスクを用いた例を説明するが、ディスクドライブ装置の保持、把持手段によりクランプされ、回転駆動されるディスクであれば他の任意のディスク（例えばＣＤ、ＤＶＤ、ＭＯ、ＦＤ等）について適用できる。また、回転材を接触して保持（把持）部材により保持（把持）して回転させる回転機構における回転材と回転機構についても同様に適用可能である。
【００１８】
図１〜図４は本発明の実施例における光ディスク１の構成を模式的に示す平面図である。また、図５〜図７は、本発明によるディスクドライブ装置の実施例の構成を説明するために模式化された要部断面図である。
【００１９】
さて、図１において、光ディスク１の表面の外周部にはイメージ、音楽、画像等のデータが記憶されているＲＡＭ領域（情報記憶部）１１や、所定のプログラムが格納されているプログラム記憶部としての例えばＲＯＭ領域１２が形成され、また、例えば、ＲＯＭ領域に格納されているプログラムに基づくような信号処理を実行する電子回路１３が任意の部位に形成されている。本例では、ディスクドライブ装置２の保持、把持、クランプ（チャッキング）機構により接触保持される部位に相当する位置である光ディスクの内周部（通常、透明部であるが不透明部とされることもある）１５に導電部１Ａが形成され、内周部１５の外側に電子回路１３が設けられ、電子回路１３と導電部１Ａは接続部１Ｂを介して電気的に接続されている。
【００２０】
電子回路１３は、任意の部位に設けることができるが、ディスクドライブ装置２のクランプ（チャッキング）機構により比較的高い密着力で光ディスクが保持されるので、その圧力による影響を避ける意味で上記クランプされる部位ではない内周部を外れた部位が好ましい。しかし、クランプ圧力の問題がないような構成の場合には、内周部１５に形成しても良く、導電部１Ａそのものを電子回路１３と同一部位に、例えば、電子回路１３を導電部１Ａを含むように設定しても良いことは勿論である。
【００２１】
例えば、図２に示すように、光ディスク１の内周部１５のクランプ部（保持部、把持部：斜線部）１０には導電部１Ａを、クランプ部１０よりも更に内周部の、クランプ（保持、把持）が直接接触せず、クランプ圧力を受けない部位に電子回路１３を形成することもできる。
【００２２】
また、図３に示すように、光ディスク１内周部１５の内側のクランプ部（保持、把持部：斜線部）１０には導電部１Ａを、外周部１６と内周部１５間のクランプ部１０以外の部位に電子回路１３を形成することもできる。
【００２３】
更には、図４に示すように、光ディスク１の内周部１５のクランプ部（保持、把持部：斜線部）１０には導電部１Ａを、外周部位１６の更に外周部の、通常、記憶領域とされない部位に電子回路１３を形成することもできる。これら電子回路１３と導電部１Ａは電気的な接続部１Ｂにより接続されている。電子回路１３は、勿論、記憶領域内に形成しても良い。
【００２４】
電子回路１３は、例えば、光ディスク面のＲＯＭ領域１２に記憶されているプログラムに基づく動作処理を実行する回路であり、処理結果は以下に説明するような形態でディスクドライブ装置２側に送信される。また、逆にディスクドライブ装置２側からの信号を受信する。
【００２５】
電子回路１３の上記所定の処理は、例えば、記憶部に記憶されている情報が暗号化されている場合に、その暗号化されている情報を読み出して、ＲＯＭ領域１２に格納されているプログラムに基づいて解読するような処理がある。また、暗号化して書き込むときには、同様に、記憶部に記憶されている暗号化プログラムに基づいて暗号化するようにすることもできる。
【００２６】
ここで、暗号化プログラムや解読プログラムを光ディスク毎に規定しておけば、各光ディスク毎にクローズされた信号処理が可能となり、クローズされた固有の処理に基づく処理でない限りは当該ディスクへのアクセスを困難として高いセキュリティを確保することができる。更に、暗号解読のためのキーを個別に外部から設定するようにすれば、より高いセキュリティが確保できる。また、ＲＯＭ領域１２に記憶されているプログラムに従った処理を電子回路で実行したり、外部処理回路で処理された処理結果を記憶部に記憶するようにすることもできる。こうすることにより、処理結果が、外部処理装置に残ることなく、光ディスクの記憶部としてのＲＡＭ領域１１のみに保存、記憶され、しかも保存、記憶処理するデータを電子回路で暗号化等の処理を施しておけば、第三者は、暗号化データを解読するためのキー情報を含む解読プログラムがない限り解読データを得ることができず、きわめてセキュリティの高いシステムが実現できる。更に、光ディスクに形成されている電子回路等と外部回路との信号送信又は／及び受信により、これまで想定されていなかった利用分野の著しい拡張が図られる。
【００２７】
さて、光ディスク１の内周部には薄膜の導電部１Ａが形成されている。この導電部１Ａは、電子回路１３に接続部１Ｂ（同様に光ディスク１表面に薄膜形成されている）を介して電気的に接続されていても良いし、独立に情報を有する部位とすることができる。例えば、この導電部に光ディスクの何らかの情報（ディスク固有情報等）を持たせておけば、ディスクドライブ装置から直接当該情報を取得することができる。電子回路の代わりに何らかの電子的情報の生成、書き込み又は保存機能を有する電子的機能部とすることができるし、導電部自体が何らかの情報が生成するような電子的機能部や電子回路を含んでいても良い。逆に、電子的機能部や電子回路が導電部を含むようにしても良い。電子的機能部又は電子回路はなくても良い。導電部は、ディスクの記憶領域形成面と同一面に形成しても良いし、反対面に形成しても良い。
【００２８】
光ディスク１は、ディスクドライブ装置２のターンテーブル２１上に載置され、クランパ２４によりクランプされ、スピンドルモータ２２により回転駆動される。通常、光ディスクの情報が記憶されている記憶面は、光ディスク１の内周部を除いた外周部１６に形成されており、内周部１５は透明部、半透明又は不透明部で、クランプのための部位としてのみ用いられている。本実施例では、この内周部１５に導電部１Ａが形成されている。
【００２９】
図５を参照して本発明のディスクドライブ装置の実施例を説明すると、ターンテーブル２１には、スピンドルモータ２２の回転軸２３に固定され、中央部に光ディスク１の中央部に開けられた中央開口穴１４が嵌め込まれる突出部２１Ｂが形成されている。光ディスク１は、中央開口穴１４がターンテーブル２１の突出部２１Ｂに嵌め込まれ、光ディスク１の中心位置が決められてターンテーブル２１に載置されることになる。この突出部２１Ａの頂部には、通常、永久磁石２５が設置されている。ターンテーブル２１の表面の、光ディスク１の導電部１Ａと対向する位置に導電部２１Ａが形成されている。なお、図５は、理解を容易にするため簡略化しており、例えば、導電部１Ａや２１Ａの厚みは光ディスク１を含め他の構成要素と比較して大きく描かれているが、これら導電部１Ａや２１Ａは、薄膜であり、実際には殆ど厚みは意識しなくて良い。
【００３０】
一方、光ディスク１の上方にはクランパ２４が配設される。クランパ２４は、ターンテーブル２１の突出部２１Ｂの頂部に設けられた永久磁石２５との対向部に、永久磁石による磁力を受けて吸引される磁性部（図示せず）を有する。光ディスク１をターンテーブル２１上に載置した後、クランパ２４を近づけると永久磁石２５と磁性材との磁力によりクランパ２４が光ディスク１を挟んでターンテーブル２１に密着される。こうして光ディスク１は、同心度が維持された状態で保持、クランピング（チャッキング）され、スピンドルモータ２２の回転軸２３の回転とともに回転駆動されることになる。尚、図示では、スピンドルモータ２２を独立したモータとしているが、これは模式的に図示したからであり、通常はターンテーブル２１に設けた磁石と、その近傍に設けたコイル等の磁気作用により、ターンテーブル２１を回転軸２３回りに回転させるような、ステータとロー他を含む回転機構であるような薄型のフラットモータ構成を用いることが多い。この場合には、信号伝達経路は、より簡素化される。かかる構成の例については後述する。
【００３１】
このとき、光ディスク１の導電部１Ａとディスクドライブ装置２側のターンテーブル２１の導電部２１Ａとは磁力により密着されており、確実な電気的接続が維持される。したがって、光ディスク１側と、この光ディスク１とは独立したディスクドライブ装置２側のターンテーブル２１（導電部２１Ａ）とは電気的に接続されることになる。もちろん、ディスクドライブ装置２側の光ディスク１の導電部１Ａとの接続は、ターンテーブル２１に限らず光ディスク１と一体的に回転し、電気的に接触する部位であればどこでも良く、例えば、クランパ２４の、光ディスク１の導電部１Ａに対向する位置に相当する部位に導電部を形成することもできる。
【００３２】
以上のような構成により、光ディスク１上の電子回路１３又は電子機能部と、ディスクドライブ装置２側の内部電気回路との間は、上記２つの導電部１Ａと２１Ａを介して電気的に接続されるようになる。
【００３３】
ディスクドライブ装置２は、光ディスク１をターンテーブル２１上に載置してクランパ２４によりクランプし、回転駆動させて光ディスクに記憶されている情報を読み込む。逆に、情報を書き込むこともできる。ここで、ディスクドライブ装置においては、上述の如く、光ディスク１の上記導電部１Ａに対応する部位（接触する部位）に導電部２１Ａが設けられているので、これら導電部１Ａ−２１Ａ間で信号の送信又は／及び受信が行なわれる。このとき、光ディスク１と、ディスクドライブ装置２側のターンテーブル２１やクランパ２４とは一体回転しているため両導電部間の信号伝達は電気的に直接行なわれる。
【００３４】
ディスクドライブ装置２側の導電部２１Ａは、内部の電気回路（信号処理回路）２７に接続される。この導電部２１Ａと内部電気回路２７との間の接続は、任意の接続形態が可能である。例えば、ターンテーブル２１を光ディスク１とともに回転させるスピンドルモータ２２の回転軸２３、この回転軸２３のような回転体とディスクドライブ装置２の本体のような静止体との間で信号を送信又は／及び受信するための回転体／静止体信号送受信インタフェース２６を介して内部電気回路２７に接続される。
【００３５】
上記回転軸２３のような回転体とディスクドライブ装置２側の静止体の内部電気回路２７との信号送信又は／及び受信のための回転体／静止体信号送受信インタフェース２６としては、周知又は公知の種々手段を用いることができる。例えば、スリップリングによる信号送受信方式を採用することができる。
【００３６】
本実施例において、光ディスク１側の導電体１Ａ―ディスクドライブ装置２側の導電体２１Ａ―回転軸２３―回転体／静止体信号送信又は／及び受信インタフェース２６のルートの電気接続構成としては、周知の構成を採用できることは容易に理解できる。例えば、導電部２１Ａをターンテーブル２１の絶縁部上に設け、導電部２１Ａから回転体／静止体信号送受信インタフェース２６までのルートは専用の配線形態を形成すれば良いし、他の任意の接続形態を用いることができる（以下の実施例の説明でも同様である）。
【００３７】
また、回転体／静止体信号送受信インタフェース２６として、当該ディスクドライブ装置２の回転体（ターンテーブル２１）側の導電部２１Ａと内部電気回路２７との信号送信又は／及び受信を無線により、又は光学的に行なわせる手段を備えることにより、信号送信又は／及び受信を可能とすることもできる。この場合、ディスクドライブ装置２側では若干のコスト増となるが、光ディスク個々に信号送受信手段を設ける必要がなく、光ディスクの低コストというメリットを十分に発揮できる。
【００３８】
光学的手段により信号送信又は／及び受信を行なう際には、スピンドルモータ２２の軸心に沿って光学路を設け、その軸端から信号光を発し（受け）、この軸端と対向させて信号光を受光（発光）する手段を設ければ、スピンドルモータの回転軸の回転に起因する信号光のブレは少なくて済む。また、無線手段により信号送信又は／及び受信を行なう場合も同様である。
【００３９】
ここで、クランプ時に、光ディスク１の導電部１Ａと電気的に接触するディスクドライブ装置２側の導電部２１Ａは、光ディスク１を挟持するターンテーブル２１とクランパ２４の両面に形成しておくことができる。こうすることにより、光ディスク１によって導電部の形成面が異なる場合や、光ディスク１の両面に導電部が形成されていても対応できるようになる。これは以下の実施例の説明においても同様である。
【００４０】
上記光ディスク表面に形成される導電部１Ａは、単なる導電膜であればよいから蒸着により膜形成することは容易にできる。導電膜を表面に貼り付けることもできるし、蒸着以外の他の任意の方法で形成することもできる。例えば、光ディスクの両面に導電部を形成する構成としては、光ディスク面のクランプ部に貫通して金属等の導電体を埋め込み、各表面から若干突出させるようにすることもできる。
【００４１】
前述の如く、光ディスク１の導体部１Ａに接続された電子回路１３は、光ディスク上のどこに形成しても良いが、光ディスクのバランスを考えると、光ディスクのできるだけ中心に近い位置が好ましく、導電部１Ａそのものを電子回路とすることも可能である。電子回路１３は、薄膜化した半導体ＩＣチップとしても良いし、ディスク製造過程で、ディスク内部に形成することもできる。
【００４２】
導電部１Ａが形成される光ディスク１の内周部は、通常、クランプのためだけの部位として使われる。この内周部に形成される導電部（電極）１Ａは透明電極を用いれば、透明部の機能を維持できる。
【００４３】
図６は、本発明による光ディスクドライブ装置の他実施例の構成を説明するための模式化された要部の概略断面図である。
【００４４】
図５に示すディスクドライブ装置２では、ターンテーブル２１を回転させるスピンドルモータ２２は独立のモータとして表示され、その回転軸２３を回転させることによりターンテーブル２１を回転させているが、スピンドルモータ２２は、要するにターンテーブル２１を回転させるための手段を総称しており、ステータとロータを備える構成とすることができ、例えば、ディスク回転用として現在広く用いられているフラット型の回転駆動機構とすることができる。そのような例に基づく実施例が図６に示されている。
【００４５】
図６におけるスピンドルモータとしての回転駆動機構は、ターンテーブル２１と回転軸２３を介して一体的に回転するディスク状の回転駆動部２１Ｃの下面外周部に周方向に沿って複数の磁極２１Ｄを配設し、一方、筐体底面６０側に固定されている基板３０の、磁極２１Ｄとの対向面に磁極３０Ａが設けられ、基板３０上に形成されている制御回路により磁極３０Ａの磁極を変更制御し、磁極２１Ｄと磁極３０Ａの極性関係に基づいて回転駆動部２１Ｃとターンテーブル２１を周方向に回転させる。
【００４６】
図６において、図５と同様に、ターンテーブル２１の中央部に光ディスク１の中央開口穴１４が嵌め込まれる突出部２１Ｂが形成され、この突出部２１Ｂに光ディスク１の中央開口穴１４が嵌め込まれてターンテーブル２１上に載置される。突出部２１Ｂの頂部には永久磁石２５が設けられている。ターンテーブル２１の表面所定部位には、光ディスク１の導電部１Ａと対向する導電部２１Ａが形成されている。光ディスク１の上方には、磁性部２４Ａを有するクランパ２４が配設され、光ディスク１をターンテーブル２１上に載置した後、クランパ２４を近づけると永久磁石２５の磁力によりクランパ２４が光ディスク１を挟んでターンテーブル２１に密着される。こうして光ディスク１は、同心度が維持されてクランピング（チャッキング）され、スピンドルモータの回転軸２３の回転とともに回転駆動され、光ディスク１の導電部１Ａとディスクドライブ装置２側のターンテーブル２１の導電部２１Ａとは磁力により密着され、電気的に接続される。
【００４７】
ディスクドライブ装置２側の導電部２１Ａから図５に示す内部電気回路（信号処理回路）２７への電気接続構成は、前述の如く任意の構成とすることができる。本実施例では、ターンテーブル２１下方の回転駆動部２１Ｃの下方で基板３０を貫通する延出部２３Ａの回転中心部（回転中心軸）下端に電気的又は光学的な接続部４０を設け、一方、基板３０下方の筐体底面６０の、接続部４０の対向位置に同様な電気的又は光学的な接続部５０が設けられている。延出部２３Ａは、基板３０内の軸受部３０Ｂを介して自由回転可能とされている。
【００４８】
接続部４０と５０を電気的に接触するようにすれば電気的接続構成が得られ、光学的に結合するようにすれば光学的接続構成が得られる。電気的接続構成には、直接接触による接続と、電波による信号送信又は／及び受信に基づく接続がある。無線信号送信又は／及び受信を行なう場合には、接続部４０と接続部５０にそれぞれ無線回路やアンテナを設けておけば良いし、光学的接続構成を得る場合には、接続部４０と接続部５０に、それぞれ光／電気変換部を設けておけば良く、本実施例のように、これらを対向設置することにより効率的な信号送信又は／及び受信が可能となる。
【００４９】
ディスクドライブ装置２側のターンテーブル２１上の導電部２１Ａから接続部４０までの電気配線は、太実線で示す専用配線で行なうことができ、接続部５０から内部電気回路２７への電気配線が施される。
【００５０】
図６に示す実施例では、ディスクドライブ装置２側の、光ディスク１の導電部１Ａと接続される導電部２１Ａはターンテーブル２１側に設けられているが、クランパ２４側に設けることもできる。この場合には、光ディスク１の上表面に導電部を設け、この導電部と対向して接触するクランパ２４の対応部位に導電部を設けたり、永久磁石２５の適宜部位と、この永久磁石２５と密着される磁性部２４Ａ対応導電部を設けることができる。クランパ２４側の導電部は、筐体上面（図示せず）に設けた上述の如き電気的又は光学的な接続部に接続すれば良い。
【００５１】
図７は、本発明による光ディスクドライブ装置の更に他の実施例の構成を説明するための模式化された要部の概略断面図である。
【００５２】
本実施例では、図５や６に示すディスクドライブ装置２におけるクランパ２４としてディスク１を把持（保持）するためにクランプピン２４Ｂを用いている。クランプピン２４Ｂがターンテーブル２１の突出部２１Ｂの周方向に複数個（例えば、３個）設けられている。クランプピン２４Ｃは、突出部２１Ｂの側面周方向に設けられ、バネ２４Ｃにより外径方向にバイアスがかかっており、このスプリング力に抗して光ディスクをうえから押入れ固定する。すなわち、ディスク１の中央開口穴１４を上方向から突出部２１Ｂにクランプピン２４Ｂに抗して押し込んでディスク１をターンテーブル２１に固定させる。このような構成を有するディスクドライブ装置２は、図５や図６に比してクランパ２４が不要であるため構成が簡素化され、且つ薄型化されるため、低コストで且つ小型化に適し、ノートパソコンのような小型な電子機器に適用されることが多い。図７の他の構成は、図５や図６の構成と同様であるので説明は省略する。
【００５３】
図８は本発明の更に他の実施例を示し、ＭＯディスクやＦＤディスクに用いられるディスクドライブ装置の例を示す。本実施例では、ターンテーブル２１の中央部に凹部２１Ｅが設けられ、この凹部２１ＥにＭＯディスクやＦＤディスク１０の凸部１０Ｃが嵌め込まれ、更にターンテーブル２１側の中心位置に設けられた凸部２１ＦがＭＯディスクやＦＤディスク１０の凹部１０Ｂに挿入されることにより両者の位置決めが為される。
【００５４】
ターンテーブル２１の凹部２１Ｅには永久磁石２５が設けられ、一方、ＭＯディスクやＦＤディスク１０の凸部１０Ｃには磁性材１０Ａが設けられ、両者は磁力により密着固定される。こうしてターンテーブル２１上に固定されたＭＯディスクやＦＤディスク１０が回転駆動される。ここで、ターンテーブル２１の凹部２１Ｅの永久磁石２５の上層に導電部２１Ａが、ＭＯディスクやＦＤディスク１０の凸部１０Ｃの磁性材１０Ａの上層部に導電部１Ａがそれぞれ設けられ、両者が密着状態では、導電部１Ａと２１Ａとの電気的接続関係が確立される。ターンテーブル２１の回転機構や導電部２１Ａからの電気的配線部等は前述実施例と同様であるから、図示と説明は省略する。
【００５５】
以上説明したように、従来は、レーザ光照射に応答する反射光を受光して光ディスク側の情報を読み取るだけであるが、本発明では、光ディスク表面に電子回路を構成し、この電子回路と接続され、又は何らかの信号情報を生成するような電子機能部としての導電部を設け、この光ディスク側の導電部と上記ディスクドライブ装置側の導電部を介して電気的情報の送信又は／及び受信が可能となるから、前述の如く著しい利用分野の拡張が容易に行なえる。
【００５６】
なお、ディスクドライブ装置により光ディスクの電子回路から取得した情報を外部のコンピュータ等の処理装置で処理し、また当該処理装置で処理された信号を光ディスクに書き込むように構成することもできる。
【００５７】
本発明によるディスクドライブ装置は、ターンテーブルやクランパを必須要件とするものではなく、要するに、ディスクを把持又は保持（クランプ）してディスクを回転させるディスクドライブ装置であれば何でも良い。
【００５８】
また、導電部間の確実な電気的接触、接続状態を得るため、導電部を複数個離隔配設することもできるし、導電部を凹凸形成したり、導電部の下層に弾性材を配設することもできる。
【００５９】
以上、本発明によるディスクドライブ装置、ディスク信号処理システム及びディスクの好適実施例の構成を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。すなわち、本発明は上述実施例で説明したディスクドライブ装置、ディスク信号処理システム及びディスクに限定するものではなく、回転材を接触して保持（把持）部材により保持（把持）して回転させる回転機構における回転材と回転機構についても同様に適用可能である。その具体的な構成と効果は、重複するので省略する。
【図面の簡単な説明】
【００６０】
【図１】本発明の一実施例における光ディスクの構成を模式的に示す平面図である。
【図２】本発明の他の実施例における光ディスクの構成を模式的に示す平面図である。
【図３】本発明の他の実施例における光ディスクの構成を模式的に示す平面図である。
【図４】本発明の他の実施例における光ディスクの構成を模式的に示す平面図である。
【図５】本発明による光ディスクドライブ装置の一実施例の構成を説明するための模式化された概略断面図である。
【図６】本発明による光ディスクドライブ装置の他の実施例の構成を説明するための模式化された要部の概略断面図である。
【図７】本発明による光ディスクドライブ装置の更に他の実施例の構成を説明するための模式化された要部の概略断面図である。
【図８】本発明による光ディスクドライブ装置の他の実施例の構成を説明するための模式化された要部の概略断面図である。
【符号の説明】
【００６１】
１              光ディスク
１Ａ、２１Ａ    導電部
１０            ＭＯ又はＦＤ
１０Ａ          磁性材
１０Ｂ          凹部
１０Ｃ          凸部
１１            ＲＡＭ領域（情報記憶部）
１２            ＲＯＭ領域（プログラム記憶部）
１３            電子回路
１４            中央開口穴
２              ディスクドライブ装置
２１            ターンテーブル
２１Ｂ          突出部
２１Ｃ          回転駆動部
２１Ｄ          磁極
２１Ｅ          凹部
２１Ｆ          凸部
２２            スピンドルモータ
２３            回転軸
２３Ａ          延出部
２４            クランパ
２４Ａ          磁性部
２４Ｂ          クランプピン
２４Ｃ          バネ
２５            永久磁石
２６            回転体／静止体信号送受信インタフェース
２７            内部電気回路
３              外部処理回路
３０            基板
３０Ａ          磁極
３０Ｂ          軸受部
４０、５０      電気的又は光学的接続部
６０            筐体底面
１００          配線
【図１】
2005222690.tif 000003
【図２】
2005222690.tif 000004
【図３】
2005222690.tif 000005
【図４】
2005222690.tif 000006
【図５】
2005222690.tif 000007
【図６】
2005222690.tif 000008
【図７】
2005222690.tif 000009
【図８】
2005222690.tif 000010